(57)【特許請求の範囲】
【請求項１】
女性の外陰部を覆う部分に開口部を設けたところの伸縮性のある繊維材料で構成したパンツ状の着衣体と、同じく伸縮性を有し前記着衣体の前記開口部に前記外陰部を圧迫できる状態で取り付けられ、かつ取り外すことのできるバンド部材と、このバンド部材が前記外陰部に当接する部分に設けた装着孔に装着手段を介して取り付けられる集尿袋と、前記着衣体に設けられたところの前記集尿袋を収容させる収容袋部とから成り、前記装着手段を、前記外陰部の部分を囲う大きさの楕円形状の開口部を有する平板リング状を呈し、前記集尿袋の入口部分を挟んで取り付けられ、前記バンド部材の前記装着孔に係止装着される可撓性材質のもので折り曲げて前記装着孔へ出し入れさせることのできるものである一対の装着部材と、この装着部材に重ね合わされ、導尿孔を有し略楕円状を呈すると共に、前記導尿孔の周りから前記装着部材の開口部を介して前記集尿袋に達するガイド部を有するところの吸湿性と脱臭性を備えた柔らかい材質のパッド部材とで構成し、前記集尿袋は前記ガイド部が挿入される入口部と前記集尿袋に溜まっている尿を排出させる出口部とを有し、前記入口部には前記装着部材が接着され、前記出口部にはクリップが取り付けられていることを特徴とする、排尿用具。
【請求項２】
男性の陰茎部を覆う部分に開口部を設けたところの伸縮性のある繊維材料で構成したパンツ状の着衣体と、同じく伸縮性を有し前記着衣体の前記開口部に取り付けられ、かつ取り外すことのできるバンド部材と、このバンド部材が前記陰茎部に当接する部分に設けた装着孔に装着手段を介して取り付けられる集尿袋と、前記着衣体に設けられたところの前記集尿袋を収容させる収容袋部とから成り、前記装着手段を、前記陰茎部を挿入できる大きさの開口部を有する平板リング状を呈し、前記集尿袋の入口部分を挟んで取り付けられ、前記バンド部材の前記装着孔に係止装着される可撓性材質のもので折り曲げて前記装着孔へ出し入れさせることのできるものである一対の装着部材と、この装着部材に重ね合わされ、導尿孔を有し略楕円状を呈すると共に、前記導尿孔の周りから前記装着部材の開口部を介して前記集尿袋に達するガイド部を有するところの吸湿性と脱臭性を備えた柔らかい材質のパッド部材とで構成し、前記集尿袋は前記ガイド部が挿入される入口部と前記集尿袋に溜まっている尿を排出させる出口部とを有し、前記入口部には前記装着部材が接着され、前記出口部にはクリップが取り付けられていることを特徴とする、排尿用具。
【請求項３】
バンド部材とこのバンド部材に当接する前記パッド部材との間には、凸凹部から成る係止部が設けられていることを特徴とする、請求項１に記載の排尿用具。
【請求項４】
前記集尿袋には、その入口部の内側に筒状を呈した逆止弁部材が取り付けられていることを特徴とする、請求項１に記載の排尿用具。
【請求項５】
前記パッド部材は、不織布の間に消臭紙乃至脱臭紙を挟んで構成されていることを特徴とする、請求項１に記載の排尿用具。
【請求項６】
前記パッド部材には、その表面側にエンボス加工がなされていることを特徴とする、請求項１に記載の排尿用具。
【請求項７】
前記バンド部材は、その一端部において前記着衣体に接続され、他端部には面ファスナーが取り付けられ、この面ファスナーが前記着衣体に取り付けた面ファスナーと係着されることを特徴とする、請求項１に記載の排尿用具。
【請求項８】
前記バンド部材は、前記着衣体から分離されており、その両端部に面ファスナーが取り付けられ、これらの面ファスナーが前記着衣体に取り付けられた面ファスナーと係着されることを特徴とする、請求項１に記載の排尿用具。
【発明の詳細な説明】
【技術分野】
【０００１】
本発明は、泌尿器の手術を受けた人や、排尿コントロールが困難な高齢者等の人達、或はトイレや簡易トイレなどで排尿が困難な状況に置かれることが予測される人達等が、予めパッドやオムツを装着したり、或は下着を脱いで排尿補助具を装着させることなく排尿ができ、かつ活動も制限されないように工夫したとくに女性用の排尿用具に関する。
【背景技術】
【０００２】
尿漏れ或はトイレ等で正常に排尿することが困難な人に対する排尿用具として一般的なものは紙オムツであるが、使用感の悪さ、使用部位のかぶれ、取替え処理の煩雑さ、コスト高など種々の問題があり、これに代わる排尿用具が種々開発されてきている。
【０００３】
とくに男性用の排尿用具としては、下記特許文献１と２に記載されているように、男性の陰茎部に装着できる尿袋を着脱可能に取り付けることのできる装着部材を用いたものが公知であるが、このものは女性用としては不向きである。さらに女性用に用いることのできるものとしてはあまり多くはないが、下記特許文献３に記載されたものが公知である。このものは使用時に下着を脱いで泌尿器の部分に装着させるものであることから、身体の不自由な人や、排尿感覚のない人には不向きである。また、女性用として下記特許文献４に記載されているように、紙オムツの股下に開口部を設け、この開口部に尿袋を取り付けたものも公知でありこのものは、身体の不自由な人や、排尿感覚のない人にも使用可能であるが、使用中に使用者が動いて紙オムツが緩んだ際には尿が漏れてしまい、紙オムツとあまり変わらないに状態となってしまうという問題があった。
【先行技術文献】
【特許文献】
【０００４】
【特許文献１】ＷO２０１１／０２４８６４号公報
【特許文献２】特開平１０−３１４２０４号公報
【特許文献３】特開２００３−１９９６８８号公報
【特許文献４】実開平４−２７９０９号公報
【発明の概要】
【発明が解決しようとする課題】
【０００５】
本発明は、とくに女性が用いて好適なもので、装着が簡単であり、かつ就寝時或は起居時のどちらにおいても使用でき、さらに装着した状態で自由に動き回ることができるように工夫した排尿用具を提供せんとするにある。
【課題を解決するための手段】
【０００６】
上記目的を達成するために本発明は、女性の外陰部を覆う部分に開口部を設けたところの伸縮性のある繊維材料で構成したパンツ状の着衣体と、同じく伸縮性を有し前記着衣体の前記開口部に前記外陰部を圧迫できる状態で取り付けられ、かつ取り外すことのできるバンド部材と、このバンド部材が前記外陰部に当接する部分に設けた装着孔に装着手段を介して取り付けられる集尿袋と、前記着衣体に設けられたところの前記集尿袋を収容させる収容袋部とから成り、前記装着手段を、前記外陰部の部分を囲う大きさの楕円形状の開口部を有する平板リング状を呈し、前記集尿袋の入口部分を挟んで取り付けられ、前記バンド部材の前記装着孔に係止装着される可撓性材質のもので折り曲げて前記装着孔へ出し入れさせることのできるものである一対の装着部材と、この装着部材に重ね合わされ、導尿孔を有し略楕円状を呈すると共に、前記導尿孔の周りから前記装着部材の開口部を介して前記集尿袋に達するガイド部を有するところの吸湿性と脱臭性を備えた柔らかい材質のパッド部材とで構成し、前記集尿袋は前記ガイド部が挿入される入口部と前記集尿袋に溜まっている尿を排出させる出口部とを有し、前記入口部には前記装着部材が接着され、前記出口部にはクリップが取り付けられていることを特徴とする。
【０００７】
本発明はまた、男性の陰茎部を覆う部分に開口部を設けたところの伸縮性のある繊維材料で構成したパンツ状の着衣体と、同じく伸縮性を有し前記着衣体の前記開口部に取り付けられ、かつ取り外すことのできるバンド部材と、このバンド部材が前記陰茎部に当接する部分に設けた装着孔に装着手段を介して取り付けられる集尿袋と、前記着衣体に設けられたところの前記集尿袋を収容させる収容袋部とから成り、前記装着手段を、前記陰茎部を挿入できる大きさの開口部を有する平板リング状を呈し、前記集尿袋の入口部分を挟んで取り付けられ、前記バンド部材の前記装着孔に係止装着される可撓性材質のもので折り曲げて前記装着孔へ出し入れさせることのできるものである一対の装着部材と、この装着部材に重ね合わされ、導尿孔を有し略楕円状を呈すると共に、前記導尿孔の周りから前記装着部材の開口部を介して前記集尿袋に達するガイド部を有するところの吸湿性と脱臭性を備えた柔らかい材質のパッド部材とで構成し、前記集尿袋は前記ガイド部が挿入される入口部と前記集尿袋に溜まっている尿を排出させる出口部とを有し、前記入口部には前記装着部材が接着され、前記出口部にはクリップが取り付けられていることを特徴とする。
【０００８】
その際に本発明は、前記バンド部材とこのバンド部材に当接する前記パッド部材との間には、凸凹部から成る係止部が設けられていることを特徴とする。
【０００９】
本発明はさらに、前記集尿袋には、その入口部の内側に筒状を呈した逆止弁部材が取り付けられていることを特徴とする。
【００１０】
本発明はさらに、前記パッド部材は、不織布の間に消臭紙乃至脱臭紙を挟んで構成されていることを特徴とする。
【００１１】
本発明はさらに、前記パッド部材には、その表面側にエンボス加工がなされていることを特徴とする。
【００１２】
本発明はさらに、前記バンド部材は、その一端部において前記着衣体に接続され、他端部には面ファスナーが取り付けられ、この面ファスナーが前記着衣体に取り付けた面ファスナーと係着されることを特徴とする。
【００１３】
そして、本発明は、前記バンド部材は、前記着衣体から分離されており、その両端部に面ファスナーが取り付けられ、これらの面ファスナーが前記着衣体に取り付けられた面ファスナーと係着されることを特徴とする。
【発明の効果】
【００１４】
本発明は、以上のように構成したので、集尿袋に連通したパッド部材の導尿孔が、装着部材に設けた開口部と共に女性の尿道口及び膣部を含む外陰部全体を囲むことになることから、排尿した際に尿は導尿孔からガイド部を介して集尿袋の中に集尿されることになる。その際に、外陰部を濡らすことになっても、パッド部材が持つ吸湿性によって、吸収されバンド部材や着衣体に浸み込むことを防止することができるものである。さらに、パッド部材は消臭性ないし脱臭性を有するので、尿のにおいが外部へ漏れるのを防止することができるものである。
【００１５】
また、男性用として用いる場合にも、陰茎部をパッド部材の導尿孔に挿入させると、亀頭部分の尿道口が集尿袋に達するので、排尿が可能である。
【図面の簡単な説明】
【００１６】
【図１】本発明に係る排尿用具の装着状態を示す説明図である。
【図２】本発明に係る排尿用具を構成する着衣体からバンド部材を外して見た正面図である。
【図３】本発明に係る排尿用具の分解斜視図である。
【図４】本発明に係る排尿用具の集尿袋を示し、（ａ）はその平面図であり、（ｂ）はそのＡ−Ａ線断面図である。
【図５】図４（ｂ）のａ視の部分の部分的拡大断面図である
【図６】本発明に係る排尿用具の集尿袋のクリップの斜視図である。
【図７】本発明に係る排尿用具のパッド部材を示し、（ａ）はその平面図であり、（ｂ）（ａ）のＢ−Ｂ線断面図、（ｃ）は（ｂ）のｂ視の部分の部分的拡大断面図である。
【図８】本発明に係る排尿用具の着用順序を説明する説明図である。
【図９】本発明に係る排尿用具の着用状態の縦断面図である。
【図１０】本発明に係る排尿用具の集尿袋の取り外し順序を説明する説明図である。
【図１１】本発明に係る排尿用具の集尿袋に尿が溜まった状態を示す断面図である。
【図１２】本発明に係る排尿用具を男性に着用させた場合の縦断面図である。
【発明を実施するための形態】
【００１７】
以下に本発明に係る排尿用具を図面に基づいて説明する。図１に示したように、本発明に係る排尿用具１は、丁度パンツを穿くようにして身体Ａに装着させることができる点に特徴があり、着用した状態で、行動が制限されない上に、就寝時においても使用が可能である。
【実施例１】
【００１８】
図面によれば、図１〜図７において、本発明の好適な実施例１に係る排尿用具１は、主として女性用のものであり、女性の外陰部を覆う部分に開口部２ａを設けたところの伸縮性のある繊維材料（例えば木綿）を用いて縫製したパンツ状の着衣体２と、同じく伸縮性を有し前記着衣体２と同じ材料で縫製され、一端部側を開口部２ａの後部側に縫い付けてなるバンド部材３と、このバンド部材３に設けられた装着孔３ａに装着手段４を介して取り付けられる集尿袋５と、着衣体２を身体に装着した際に、一方の太腿部（好ましくは左側）を挿入させる部分の前側に縫い付け、或は一体編み込みなどの手段で設けられたところの集尿袋５を収容させる収容袋部２ｂとから成る。
【００１９】
バンド部材３は、実施例では、その後端部側を開口部２ａの後部側に縫い付けてあるが、着衣体２と一体に縫製されても良い。このバンド部材３の前側（自由端側）は開閉可能に構成されている。また、バンド部材３にはこの自由端側の内側に面ファスナー（登録商標以下同じ）６が縫い付けられており、この面ファスナー６を着衣体２側に同じく縫い付けてある面ファスナー（登録商標以下同じ）７と係着する構成である。しかしながら、この面ファスナー６と７から成る係着手段８は、ホックその他の係着手段で構成しても良い。尚、このバンド部材３は、その後部側も着衣体２に系着手段を用いて着脱自在となるように構成しても良い。バンド部材３の装着孔３ａに続いてその内側には帯状の嵌合凸部３ｂが設けられている。
【００２０】
集尿袋５は、例えばポリエチレンフィルム製の可撓性の袋であり、その本体部５ａの両端に口径の大きな入口部５ｂと小口径の出口部５ｃがあり、出口部５ｃは絞られて折り畳めるように細長くなっている。その長さは５〜７ｃｍ程度であり、その口径は２ｃｍ乃至３ｃｍである。また、その内部には、入口部５ｂの部分に熱圧着或は超音波溶着されて一体化されたところの漏斗状を呈した筒状の逆止弁部材９が設けられている。尚、集尿袋５はこれを透明にすると、排尿された尿の色を確認するのに便利である。また、尿量を記録するためには、目盛りを本体部５ａの外側に設けることが望ましい。
【００２１】
集尿袋５をバンド部材３へ装着させる装着手段４は、それぞれ中央部に膣部と尿道口を含む外陰部の周りを囲む形と大きさの取付孔１０ａ、１１ａを有する略楕円形状を呈した一対の孔開き平板リング状の装着部材１０、１１と、この装着部材１０、１１に身体Ａの側から接し、外陰部の周りを囲む形と大きさの同じく略楕円形状を呈した導尿孔１２ａを有するパッド部材１２と、集尿袋５の出口部５ｃに取り付けられるクリップ部材１３とで構成され、集尿袋５の入口部５ｂを装着部材１０、１１の間に挟んで、例えばボンドのような接着剤で接着してある。
【００２２】
装着部材１０、１１は、可撓性を有する厚紙製あるいは合成樹脂製のもので、例えば縦方向に折り曲げて装着孔３ａへ出し入れさせることのできるものである。パッド部材１２は、例えば不織布１２ｄ、１２ｅの間に、例えば梅の種を焼いて粉状にしたものを紙に漉き込んでクレープ紙とした消臭紙乃至脱臭紙１２ｆを挟んで、プレスで打ち抜いたもので、さらに導尿孔１２ａの部分を絞り込むことにより、ガイド部１２ｂが形成されると共に、前記バンド部材３の嵌合凸部３ｂと嵌合する帯状の嵌合凹部１２ｃが設けられている。また、パッド部材１２全体にはやや大きなエンボス加工が施されている。クリップ部材１３は、成形加工して作った可撓性を有する例えばポリプロピレンなどの合成樹脂製のもので、内側に複数の凸凹部を一列にして設けた係止部１３ａを有する巻き付け部１３ｂと、この巻き付け部１３ｂの一端側に折り曲げ自在に連結されたフック部１３ｃから成り、このフック部１３ｃの自由端側に設けた係止孔部１３ｄへ、フック部１３ｃに設けた係止片１３ｅを係止させる構成である、さらに、フック部１３ｃには係止部１３ａを収容させる収容凹部１３ｆが設けられている。尚、この構成は、実施例に限定されない。
【００２３】
次に、本発明に係る排尿用具１の使用方法について説明する。本発明に係る排尿用具１は、１枚のバンド部材３付きの着衣体２、複数の集尿袋５、同じく複数枚のパッド部材１２、１個のクリップ部材１３が、セットで販売される関係上、まず、バンド部材３に集尿袋５を装着しない状態で、着衣体２を丁度パンツをはく要領で女性の身体Ａの腰部に着用するのが自然である。この場合、バンド部材３はその先端側に設けた面ファスナー７を着衣体２の本体側に設けた面ファスナー６に係着させた状態でも、係着させてない状態でも構わない。次いで、面ファスナー６と７が係着状態であるときには、図８の（１）に示したように、この係着状態を解離させ、バンド部材３を降ろしてその装着孔３ａの内側から、その出口部５ｃを予めクリップ部材１３で閉じたで集尿袋５を、その出口部５ｃ側（クリップ部材１３側）を先にして挿入させ、図８の（２）に示したように、出口部５ｃを引っ張って装着部材１０、１１が装着孔３ａに係止されるまで引き出してやる。尚、集尿袋５の出口部５ｃをクリップ部材１３でクリップして閉じる方法は、まず、クリップ部材１３の巻き付け部１３ｂとフック部１３ｃを開き、出口部５ｃの側を巻き付け部１３ｂにその本体部５ａに至るまで巻き付けて行き、巻き付け終わったところで、フック部１３ｃを折り曲げてその係止孔部１３ｄを巻き付け部１３ｂの係止片１３ｅへ係止させるものである。このようにすると、集尿袋５の出口部分は、係止部１３ａによって緩むことなくクリップされ、使用中に出口部５ｃから尿が漏れ出てきてしまう心配がない。
【００２４】
次いで、図８の（３）に示したように、パッド部材１２のガイド部１２ｂを集尿袋５の入口部５ｂ側に挿入させて、バンド部材３を途中まで引き上げ、さらに、パッド部材１２の嵌合凹部１２ｃにバンド部材３の嵌合凸部３ｂを嵌め合わせた後、バンド部材３をさらに引き上げてパッド部材１２の導尿孔１２ａが、外陰部ａの周りを囲み、パッド部材１２で全体を覆うようにして押し付けた状態にして、図８の（４）に示したように、バンド部材３の面ファスナー７と着衣体２の側の面ファスナー６とを係着させるものである。尚、装着部材１０、１１のバンド部材３に設けた装着孔３ａに対する取り付けは、当該装着部材１０、１１を撓ませて、装着孔３ａの前側から挿入させ、当該装着部材１０、１１を装着孔３ａへ係合させるようにしても良い。
【００２５】
そして、図８の（５）と図９に示したように、集尿袋５を収容袋部２ｂ内に収容させて排尿用具１の身体Ａに対する装着が完了する。この状態で、女性が立った状態で排尿すると、尿はパッド部材１２の導尿孔１２ａとガイド部１２ｂを介して集尿袋５内に集められることになる。その際に尿道口（図示せず）から洩れた尿は、パッド部材１２を構成する不織布１２ｄ、１２ｅに吸収される。また、パッド部材１２には、図７の（ｃ）に示したように、消臭紙乃至脱臭紙１２ｆを用いられているために、パッド部材１２に尿が浸み込んでも外部へ匂いが漏れるのを可及的に防止することができるものである。
【００２６】
また、本発明に係る排尿用具１は、女性が寝た状態、あるいはベッドや車いすに座った状態でも使用すすることができ、座った状態で使用する場合には、尿意のある人の場合には、使用時に若干腰を浮かすことにより、よりスムーズに使用することが可能になる。また、尿意があり夜間頻尿の人の場合には、ベッドから起き上がって、少し腰を浮かすか、ベッドから足を下ろして少し腰を上げることにより、スムーズに排尿ができ、簡易トイレを用いる煩雑さを解消でき、或はトイレへ移動中に転倒する事故を未然に防止することができるものである。
【００２７】
パッド部材１２は、尿量にもよるが、１回使用するごとに交換することが望ましい。また、着衣体２は、バンド部材３と共に繰り返し洗濯をして用いることができる。
【００２８】
使用後に、集尿袋５をバンド部材３から取り外す場合には、図１０の（１）に示したように、バンド部材３の先端側を片手で持ち、これを前側に引っ張ることで面ファスナー６と７の係着状態が解離されるので、そのまま図１０の（２）に示したように、前側へ少し降ろし、もう一方の手で、図１０の（３）に示したように、パッド部材１２を取り外し、次いで、図１０の（４）に示したように、装着部材１０、１１を折り曲げて装着孔３ａから前側へ抜き取ると、集尿袋５はバンド部材３から取り外されるので、これを装着部材１０、１１を持ったままで、図１０の（５）に示したように、収容袋部２ｂから取り出す。次いで、集尿袋５の出口部５ｃに取り付けてあるクリップ部材１３を取り外し、出口部５ｃから溜まっている尿を便器へ排出させるものである。この際に、集尿袋５には逆止弁部材９が取り付けられているので、図１１に示したように、尿の逆流を防止でき、衛生的に尿の処理を行うことができる。この逆止弁部材９は、排尿用具１を身体に着用中に排尿がなされても、尿の逆流を防止し、着衣体２やバンド部材３、さらには図示してないズボンやスカート、さらにはパジャマなどの衣服を汚す虞がないものである。
【実施例２】
【００２９】
図１２は、男性用に用いて好適な排尿用具を示す。この実施例２に係る男性用の排尿用具１５は、実施例１の排尿用具１とほとんど同じ構成であり、異なるのはバンド部材に設ける装着孔の位置と大きさである。それ以外の構成は同じで良い。したがって、指示記号の同じものは同じ部材を表しているので、説明を省略する。即ち、男性と女性では、排尿器の構成と位置が異なることから、バンド部材１６の装着孔１６ａの形状が円形状であり、その大きさも陰茎の膨張時のサイズより若干大き目であれば良く、さらにその位置も女性用のものに比べて身体の前側に位置している。
【００３０】
この男性用の排尿用具１５の身体Ｂへの装着方法は、図１２に示したように、上述したように女性が装着する場合と大きな違いはなく、男性が着用時に陰茎部ｂをパッド部材１２の導尿孔１２ａから集尿袋５の中へ挿入させる点に注意すれば良いことになる。パッド部材１２は、この場合でも装着時の陰部や陰茎部ｂへの当たりを柔らかくし、使用中、或は着用中における陰茎部ｂの尿による濡れや汗や蒸気を吸収し、かつ消臭乃至脱臭させることができるものである。
【００３１】
本発明に係る排尿用具１や１５を着用後、通常の排尿が可能である場合には、バンド部材３や１６の面ファスナー７と着衣体２の面ファスナー６の係着状態を解離させ、集尿袋５を収容袋部２ｂから抜き取り、バンド部材３や１６と共に後方へ移動させることによって、着衣体２を取り外さなくとも、開口部２ａから排尿が可能である。通常の排尿をした後は、上述したようにして、バンド部材３と１６へ集尿袋５を装着するものである。また、着衣体２は実施例ではパンツ形状であるが、これをＴ字帯や褌に変えても良い。
【００３２】
本発明に係る排尿用具を用いる対象と成る人は、女性、男性、太った人、痩せた人など様々である。この点を考慮して、着衣体は大、中、小の３種類を用意するものであるが、男性と女性では尿道口の位置が異なることから、バンド部材に工夫を凝らし、バンド部材をその両端部で面ファスナーにより、着衣体の開口部を覆うように構成することは推奨できよう。この方法は、女性や男性の場合で体格に差があることから、大、中、小のサイズでは補えない部分があるので、推奨できるものということができる。
【産業上の利用可能性】
【００３３】
本発明は、以上のように構成したので、排尿障害のある人たちは日常的に、或は排尿障害のない人たちでも、例えば車の渋滞が予測されるドライブに先立ち、本発明に係る排尿用具を予め身体に装着させておくことができる、下着感覚の排尿用具として、パッドやオシメなどのように排尿後の不快感を与えることなく、好適に用いることができるものである。
【符号の説明】
【００３４】
Ａ    身体
ａ  外陰部
１  排尿用具
２  着衣体
２ａ  開口部
２ｂ  収容袋部
３  バンド部材    
３ａ  装着孔
３ｂ  嵌合凸部
４  装着手段
５  集尿袋  
６、７  面ファスナー
８  係着手段
９  逆止弁部材
１０、１１  装着部材
１２  パッド部材
１２ａ  導尿孔  
１２ｂ  ガイド部
１２ｃ  嵌合凹部
１２ｄ、１２ｅ  不織布
１２ｆ  消臭紙乃至脱臭紙
１３  クリップ部材
Ｂ  身体
ｂ  陰茎部  
１５  排尿用具
１６  バンド部材  
１６ａ  装着孔  
【図１】
0006493905.tif 000002
【図２】
0006493905.tif 000003
【図３】
0006493905.tif 000004
【図４】
0006493905.tif 000005
【図５】
0006493905.tif 000006
【図６】
0006493905.tif 000007
【図７】
0006493905.tif 000008
【図８】
0006493905.tif 000009
【図９】
0006493905.tif 000010
【図１０】
0006493905.tif 000011
【図１１】
0006493905.tif 000012
【図１２】
0006493905.tif 000013